(57)【要約】【課題】  人体の隅々まで洗浄可能であって、シャワー以外の洗浄効果を発揮する。【解決手段】  開閉及び防水する手段を備えた筐体と、前記筐体内部で立位の人体の首・肩部、胸・胴・臀部及び脚部の前後に対向する位置をそれぞれ個別に縦方向へ昇降可能な昇降手段を備えた洗浄子取付金具と、前記洗浄子取付金具に前記人体の首・肩部、胸・胴・臀部及び脚部を部位別にそれぞれ被うことが可能な複数の洗浄子と、前記洗浄子から温水、石鹸水、温風等をシャワーリングする温水・石鹸水・温風シャワーリング手段と、前記各シャワーリング手段を制御する制御手段とを備えた人体洗浄装置において、人体それぞれの部位を温水シャワーリング、石鹸水シャワーリング、マッサージ洗浄、温水シャワーリング及び温風シャワーリング行程を経て、全身を隅々まで洗浄する人体洗浄装置である。【選択図】  図１
2008155008.tif 000002
【特許請求の範囲】
【請求項１】
開閉可能で防水手段を備えた筐体（２）と、前記筐体（２）内部で立位の人体の首・肩部、胸・胴・臀部及び脚部の前後に対向する位置にはそれぞれ個別に縦方向に昇降可能な昇降手段（５ａ〜５ｆ）を備えた洗浄子取付金具（６ａ〜６ｆ）と、前記洗浄子取付金具（６ａ〜６ｆ）に前記人体の首・肩部、胸・胴・臀部及び脚部を部位別にそれぞれ被うことが可能な複数の洗浄子（７ａ〜７ｆ）と、前記洗浄子（７ａ〜７ｆ）から温水、石鹸水、温風等をシャワーリングする温水・石鹸水・温風シャワーリング手段（１３）（１４）（１５）と、前記各シャワーリング手段を制御する制御手段（２２）とをそれぞれ備えた人体洗浄装置（１）において、
人体それぞれの部位を温水シャワーリング、石鹸水シャワーリング、マッサージ洗浄、温水シャワーリング及び温風シャワーリング行程を経て、全身を隅々まで洗浄することを特徴とする人体洗浄装置。
【請求項２】
前記筐体（２）内部には立位の人体の首・肩部、胸・胴・臀部及び脚部を縦方向に移動しながら洗浄する半円状をした前記各洗浄子（７ａ〜７ｆ）は、前記人体の体形に合わせて前側及び後側から伸縮自在にフィットする体形フィット手段（１６ａ〜１６ｆ）を備えたことを特徴とする請求項１記載の人体洗浄装置。
【請求項３】
前記筐体（２）内部には立位の人体の首・肩部、胸・胴・臀部及び脚部を縦方向に移動しながら洗浄する半円状をした前記各洗浄子（７ａ〜７ｆ）が、横方向に揺動或いは振動しながら身体各部を洗浄する洗浄子揺動・振動手段（１７ａ〜１７ｆ）を備えたことを特徴とする請求項１または２記載の人体洗浄装置。
【請求項４】
前記筐体（２）内部には立位の人体の首・肩部、胸・胴・臀部及び脚部を縦方向に移動しながら洗浄する半円状をした前記各洗浄子（７ａ〜７ｆ）に圧力センサー（１２ａ〜１２ｆ）が設けてあり、前記各洗浄子で人体各部を洗浄するときに前記人体の首・肩部、胸・胴・臀部及び脚部に押し付ける力をそれぞれ個別且つ任意に制御する洗浄子押し付け力制御手段（１８ａ〜１８ｆ）を備えたことを特徴とする請求項１ないし３のいずれか１記載の人体洗浄装置。
【請求項５】
前記筐体（２）内部に人体の頭部が装置外にでるように昇降可能な踏み台昇降手段（５ｇ）（５ｈ）を備えたことを特徴とする請求項１記載の人体洗浄装置。
【請求項６】
前記筐体（２）内部には立位姿勢維持が困難な人体を立位状態に維持できるように、脇の下又は股下の何れか一方又は両方に人体を支持する人体支持手段（１９）を備えたことを特徴とする請求項１記載の人体洗浄装置。
【請求項７】
前記筐体（２）内部の人体と対向する位置に、人体を温めるための遠赤外線ヒーター等の人体温熱手段（２０ａ〜２０ｄ）を備えたことを特徴とする請求項１記載の人体洗浄装置。
【請求項８】
人体洗浄装置（１）の筐体（２）上部から人体の頭部が出ている部分に、人体洗浄中の人が音楽や映像を楽しめるようオーディオビジュアル装置（２１）を備えたことを特徴とする請求項１ないし７のいずれか１記載の人体洗浄装置。
【発明の詳細な説明】
【技術分野】
【０００１】
本発明は、人間の楽しみの一つである入浴における人体洗浄装置に関するものである。
【背景技術】
【０００２】
特開２００５−２２４４１２号公報には、入浴者が座部に着席して座部や背もたれ部から温水や温風を噴出させて人体を洗浄することが、また、特開２００５−１２４９２３号公報には、人体の背中を筒柱状の洗浄体が往復回転運動しながら人体を洗浄させることが、それぞれ提案されている。しかし、これらは何れも洗浄範囲が人体のごく限られた部位に止まっており、人体全体をくまなく洗浄できるものではない。
【特許文献１】特開２００５−２２４４１２号公報
【特許文献２】特開２００５−１２４９２３号公報
【０００３】
前記特許文献１では、気体により粒体を噴流化して人体を満遍なく洗浄する方法が、また、前記特許文献２では、小型化した装置で身体の隅々の部位を洗浄することが、それぞれ提案されている。しかし、前者は噴流化した粒体が人体の隅々まで流動して洗浄することは困難であり、粒体の性質上、流れやすい部分のみを流動化してしまうことは否めなかった。また、後者の場合は小型化した装置であるから、第三者の手を借りずに全身の隅々を洗浄することは困難であった。
【０００４】
さらに特開２００２−１０９４５号公報には、床面設置型の身体洗浄装置が、また、特開２００１−７０３９３号公報には、洗液と粒体との協同作業により身体を洗浄する方法が、それぞれ提案されている。しかし、前者の提案は前記特許文献２と同様に身体の洗浄できる部位がきわめて限定的であり、後者の提案は前記特許文献１と同様に粒体性質上の問題を解決されていないところに問題点があった。
【特許文献３】特開２００２−１０９４５号公報
【特許文献４】特開２００１−７０３９３号公報
【０００５】
また特開２０００−３５０７６７号公報には、横臥状態での身体洗浄装置が提案されている。この装置は、横臥状態の身体をシャワー装置で洗浄する方式をとっており、身体支持手段によっては身体の隅々までシャワー効果をもたらすことは期待できるものの、身体洗浄手段はシャワー装置に限定されており、シャワー効果以外は何も期待できないところに問題点があった。
【特許文献５】特開２０００−３５０７６７号公報
【発明の開示】
【発明が解決しようとする課題】
【０００６】
上述の如く、従来の身体洗浄装置は、洗浄手段が機械式のものは人体のごく限られた部分しか洗浄できず、流動式のものは粒体の性質上から流動しやすい箇所のみを流動するため洗浄効果に疑問があった。さらに、横臥式のものは人体支持手段によっては人体の隅々までシャワー効果が期待できるものの、洗浄手段がシャワーのみなのでシャワー効果以外の何ものも期待できないところに問題点があった。之に対し、本発明では人体の隅々まで洗浄可能にし、且つ、シャワー以外の洗浄効果を発揮することを目的とするものである。
【課題を解決するための手段】
【０００７】
請求項１の発明は、開閉及び防水する手段を備えた筐体２と、前記筐体２内部で立位の人体の首・肩部、胸・胴・臀部及び脚部の前後に対向する位置をそれぞれ個別に縦方向へ昇降可能な洗浄子昇降手段５ａ〜５ｆを備えた洗浄子取付金具６ａ〜６ｆと、前記洗浄子取付金具６ａ〜６ｆに前記人体の首・肩部、胸・胴・臀部及び脚部を部位別にそれぞれ被うことが可能な複数の洗浄子７ａ〜７ｆと、前記洗浄子７ａ〜７ｆから温水、石鹸水、温風等をシャワーリングする温水・石鹸水・温風シャワーリング手段１３、１４、１５と、前記各シャワーリング手段を制御する制御手段２２とをそれぞれ備えた人体洗浄装置１において、人体それぞれの部位を温水シャワーリング、石鹸水シャワーリング、マッサージ洗浄、温水シャワーリング及び温風シャワーリング行程を経て、全身を隅々まで自動的に洗浄することを特徴とする。
【０００８】
請求項２の発明は、前記筐体２内部には人体の首・肩部、胸・胴・臀部及び脚部を縦方向に移動しながら洗浄する半円状をした前記各洗浄子７ａ〜７ｆは、前記人体の体形に合わせて前側及び後側から伸縮自在にフィットする体形フィット手段１６ａ〜１６ｆを備えたことを特徴とする。
【０００９】
請求項３の発明は、前記筐体２内部には立位の人体の首・肩部、胸・胴・臀部及び脚部を縦方向に移動しながら洗浄する半円状をした前記各洗浄子７ａ〜７ｆが、横方向に揺動或いは振動しながら身体各部を洗浄する洗浄子揺動・振動手段１７ａ〜１７ｆを備えたことを特徴とする。
【００１０】
請求項４の発明は、前記筐体２内部には人体の首・肩部、胸・胴・臀部及び脚部を縦方向に移動しながら洗浄する前記各洗浄子７ａ〜７ｆに圧力センサー１２ａ〜１２ｆが設けてあり、前記各洗浄子で人体各部を洗浄するとき、前記人体の首・肩部、胸・胴・臀部及び脚部に押し付ける力をそれぞれ個別且つ任意に制御する洗浄子押し付け力制御手段１８ａ〜１８ｆを備えることを特徴とする。
【００１１】
請求項５の発明は、前記筐体２内部には人体の頭部が装置外にでるように昇降可能な昇降手段５ｇ、５ｈを備えたことを特徴とする。
【００１２】
請求項６の発明は、前記筐体２内部には立位姿勢維持が困難な人体を立位状態に維持できるように、脇の下又は股下の何れか一方又は両方に人体を支持する人体支持手段１９を備えたことを特徴とする。
【００１３】
請求項７の発明は、前記筐体２内部の人体と対向する位置に、人体を温めるための遠赤外線ヒーター等の人体温熱手段２０ａ〜２０ｄを備えたことを特徴とする。
【００１４】
請求項８の発明は、前記筐体２上部から人体頭部が出ている部分に、人体洗浄中の人が音楽や映像を楽しめるようオーディオビジュアル装置２１を備えたことを特徴とするものである。
【発明の効果】
【００１５】
本発明は、体形フィット型の洗浄子による温水シャワーリング、石鹸水シャワーリング、温風シャワーリング手段によって人体の隅々まで洗浄可能となり、且つ、洗浄子の上下動と左右方向の揺動或いは振動との複合動作によるマッサージにより、単なる人体の洗浄のみならずリラクゼーション効果や体脂肪燃焼効果が期待できる。さらに、人体支持手段を有しているので体の不自由な人でも安心してからだの隅々まで洗浄すると共にマッサージ効果を得ることができる。
【発明を実施するための最良の形態】
【００１６】
本発明の実施の形態について説明すると、図１は本発明の具体的態様を示す立面図、図２は図１のＡ−Ａ断面図、図３は図２のＢ−Ｂ断面図、図４は図２のＣ−Ｃ断面図、図５は図１のＤ−Ｄ断面図、図６は洗浄子の拡大平面図、図７は図６のＸ−Ｘ拡大断面図、図８は図１のＥ−Ｅ断面図、図９は図１のＦ−Ｆ断面図、図１０は図１のＧ−Ｇ断面図、図１１は図１のＨ−Ｈ断面図、図１２は本発明の具体的態様を示す配管系統図である。
【００１７】
人体洗浄装置１には、開閉及び防水する手段を備えた筐体２と、該筐体２の内部で立位状態の人体の首・肩部、胸・胴・臀部及び脚部の前後に対向する位置をそれぞれ個別に縦方向へ昇降可能な洗浄子昇降手段５ａ〜５ｆを備えた洗浄子取付金具６ａ〜６ｆと、前記洗浄子取付金具６ａ〜６ｆに前記人体の首・肩部、胸・胴・臀部及び脚部を部位別に、前記人体の体形に合わせて前側及び後側からそれぞれ被うことが可能な複数の略半円状をした洗浄子７ａ〜７ｆと、前記洗浄子７ａ〜７ｆから温水、石鹸水、温風等をシャワーリングする温水・石鹸水・温風シャワーリング手段１３、１４、１５と、前記各シャワーリング手段を制御する制御手段２２とを備えてある。それぞれ前側及び後側から向かい合わせに対をなして配した洗浄子７ａ、７ｂ、７ｃ、７ｄ、７ｅ、７ｆと、前記温水・石鹸水・温風シャワーリング手段１３、１４、１５を配管２３で連結し、各シャワーリング手段１３、１４、１５と配管３との間にそれぞれバルブ１３ａ、１４ａ、１５ａを介在させてある。さらに、前記温水・石鹸水・温風シャワーリング手段１３、１４、１５を制御装置２２に連結してある。
【００１８】
図１〜５において、人体前面に対応する洗浄子の昇降手段５ａ、５ｃ、５ｅを説明すると、首・肩部を洗浄する略半円状をした洗浄子７ａは、支柱２ａに緊結したリニアガイド３ａ上を走行自在なリニアガイドベアリング４ａに緊結した洗浄子取付金具６ａに緊結されている。前記洗浄子７ａにはボールねじナット１１ａが緊結され、該ボールねじナットにボールねじ１０ａが回転自在に挿入され、該ボールねじはモーター９ａの軸回転自在に緊結されている。該モーターはモーター取付金具８ａに緊結され、該モーター取付金具は支柱２ａに緊結され、前記モーター９ａが正回転・反回転することによって前記ボールねじ１０ａを正回転・反回転させて前記ボールねじナット１１ａに緊結された洗浄子７ａは昇降する。
【００１９】
次に、胸・胴・臀部を洗浄する略半円状をした洗浄子７ｃは、支柱２ａに緊結したリニアガイド３ａ上を走行自在なリニアガイドベアリング４ｃに緊結した洗浄子取付金具６ｃに緊結されている。さらに、前記洗浄子７ｃにはボールねじナット１１ｃが緊結され、該ボールねじナットにボールねじ１０ｃが回転自在に挿入され、該ボールねじはモーター９ｃの軸と回転自在に緊結され、該モーターはモーター取付金具８ｃに緊結され、該モーター取付金具は支柱２ａに緊結され、前記モーター９ｃが正回転・反回転することによって前記ボールねじ１０ｃを正回転・反回転させて前記ボールねじナット１１ｃに緊結された洗浄子７ｃは昇降する。
【００２０】
次に、脚部を洗浄する一対の略半円状を有した洗浄子７ｅは、支柱２ａに緊結したリニアガイド３ａ上を走行自在なリニアガイドベアリング４ｅに緊結した洗浄子取付金具６ｅに緊結される。さらに、前記洗浄子７ｅにはボールねじナット１１ｅが緊結され、該ボールねじナットにボールねじ１０ｅが回転自在に挿入され、該ボールねじはモーター９ｅの軸と回転自在に緊結され、該モーターはモーター取付金具８ｅに緊結されている。該モーター取付金具は支柱２ａに緊結され、前記モーター９ｅが正回転・反回転することにより前記ボールねじ１０ｅを正回転・反回転させて前記ボールねじナット１１ｅに緊結された洗浄子７ｅは昇降する。
【００２１】
次に、人体後面に対応する洗浄子昇降手段５ｂ、５ｄ、５ｆについて説明すると、まず、首・肩部を洗浄する略半円状をした洗浄子７ｂは支柱２ｂに緊結したリニアガイド３ｂ上を走行自在なリニアガイドベアリング４ｂに緊結した洗浄子取付金具６ｂに緊結されている。さらに、前記洗浄子７ｂにはボールねじナット１１ｂが緊結され、該ボールねじナットにボールねじ１０ｂが回転自在に挿入され、該ボールねじはモーター９ｂの軸と回転自在に緊結されている。該モーターはモーター取付金具８ｂに緊結され、該モーター取付金具は支柱２ｂに緊結され、前記モーター９ｂが正回転・反回転することによって前記ボールねじ１０ｂを正回転・反回転させて前記ボールねじナット１１ｂに緊結された洗浄子７ｂは昇降する。前記洗浄子７ａとこの洗浄子７ｂは、図２に示すように、それぞれ人体の首・肩部の前側及び後側から被うように対をなしている。
【００２２】
次に、胸・胴・臀部を洗浄する略半円状をした洗浄子７ｄは、支柱２ｂに緊結したリニアガイド３ｂ上を走行自在なリニアガイドベアリング４ｄに緊結した洗浄子取付金具６ｄに緊結されている。さらに、前記洗浄子７ｄにはボールねじナット１１ｄが緊結され、該ボールねじナットにボールねじ１０ｄが回転自在に挿入され、該ボールねじはモーター９ｄの軸と回転自在に緊結され、該モーターはモーター取付金具８ｄに緊結され、該モーター取付金具は支柱２ｂに緊結されている。前記モーター９ｄが正回転・反回転することによって前記ボールねじ１０ｄを正回転・反回転させると前記ボールねじナット１１ｄに緊結された洗浄子７ｄは昇降する。前記洗浄子７ｃとこの洗浄子７ｄは、それぞれ人の胸・胴・臀部の前側及び後側から被うように対をなしている。
【００２３】
次に、脚部を洗浄する一対の略半円状をした洗浄子７ｆは、支柱２ｂに緊結したリニアガイド３ｄ上を走行自在なリニアガイドベアリング４ｆに緊結した洗浄子取付金具６ｆに緊結されている。さらに、前記洗浄子７ｆにはボールねじナット１１ｆが緊結され、該ボールねじナットにボールねじ１０ｆが回転自在に挿入されている。該ボールねじはモーター９ｆの軸と回転自在に緊結され、該モーターはモーター取付金具８ｆに緊結され、該モーター取付金具は支柱２ｂに緊結され、該モーター９ｆが正回転・反回転することによって前記ボールねじ１０ｆを正回転・反回転させて前記ボールねじナット１１ｆに緊結された洗浄子７ｆは昇降する。前記洗浄子７ｅとこの洗浄子７ｆは、それぞれ人の２本ある脚部の前側及び後側から被って対をなしている。
【００２４】
次に、人体洗浄行程について説明すると、人体洗浄行程は、人体洗浄装置１の制御装置
２２により、自動的に温水シャワーリング行程、石鹸水シャワーリング行程、マッサージ洗浄行程、温水シャワーリング行程、温風シャワーリング行程の順に進んで１サイクルを完了させる。
【００２５】
ここで、洗浄子７ａ〜７ｆについて説明すると、図６は図５に示した洗浄子７ａ、７ｂを拡大したもので、略半円状をした洗浄子７ａ、７ｂは高さを違えて向かい合わせに配置して内側に人体を位置させるようにして人体の前面及び後面に接触した状態で該洗浄子を上下動させて人体の首・肩部を洗浄することができる。図７に示すように、例えば洗浄子７ａの内部には、温水、石鹸水、温風の流路２５を有していて柔軟なスポンジ材などからなり弾性に富んでおり、人体表面にフィットして心地よい柔軟な筒状部材で構成されている。
【００２６】
図７に示すように、柔軟な筒状部材からなる例えば洗浄子７ａは半径方向に複数の噴射口２６、２６を設けてある。そのため、洗浄子内の流路２５内に供給された温水、石鹸水、温風などを、該洗浄子７ａの流路２５内から放射方向に噴出する多数の噴射口２６を任意間隔に設けてある。さらに、該洗浄子７ａ〜７ｆの外側面には、柔軟部材からなる洗浄子７ａ〜７ｆを人体の表面に密着させる体形フィット手段１６ａ〜１６ｆをそれぞれ装着してある。該体形フィット手段はスプリング材などで弾性に富み、前記洗浄子７ａ〜７ｆを比較的強めに人体の表面にフィットすることができるようにしてある。
【００２７】
まず、温水シャワーリング行程について説明する。人が人体洗浄装置１に入って筐体２の開閉手段２ｃにより筐体２の周囲を水密に閉じると、制御装置２２がｏｎして自動的に人体洗浄行程が開始する。初めに、温水シャワーリング手段１３のバルブ１３ａが開いて昇降手段５ａ〜５ｆにより洗浄子７ａ〜７ｆを昇降させながら、該洗浄子から人体に向かって温水を一定時間シャワーリングして人体を満遍なく湿潤させる。
【００２８】
次に、石鹸水シャワーリング行程について説明する。上述の温水シャワーリング行程が完了するとバルブ１３ａが閉じ、次いで石鹸水シャワーリング手段１４のバルブ１４ａが開き、昇降手段５ａ〜５ｆにより洗浄子７ａ〜７ｆを昇降させながら、前記洗浄子７ａ〜７ｆに夫々設けてある噴射口２６から人体に向かって石鹸水を一定時間シャワーリングさせて人体に満遍なく石鹸水を塗布する。
【００２９】
次に、マッサージ洗浄行程について説明する。上記石鹸水シャワーリング行程が完了するとバルブ１４ａを閉じ、次いで、洗浄子昇降手段５ａ〜５ｆと洗浄子揺動・振動手段１７ａ〜１７ｆとの連携によりマッサージ洗浄行程が開始して一定時間マッサージを行う。前記洗浄子は昇降手段５ａ〜５ｆの昇降動作が二歩上昇一歩下降を繰り返せば洗浄子７ａ〜７ｆは上昇し、二歩下降一歩上昇を繰り返せば洗浄子７ａ〜７ｆは下降する。この時、洗浄子揺動・振動手段１７ａ〜１７ｆを動作させれば心地よく首・肩部・胸・臀部及び脚部を前後から被ってマッサージ効果が得られると共に、洗浄することができる。
【００３０】
上述のマッサージ洗浄行程では、制御装置２２を任意にセットして行程の途中で温水シャワーリング行程と石鹸水シャワーリング行程とを適宜挿入することができ、それによって人体の隅々まで効率よく洗浄することができる。このようにすると皮膚の泡立ちが途切れることがないので、さらに心地よいマッサージ効果が得られることになる。
【００３１】
次に、温水シャワーリング行程について説明する。上述のマッサージ洗浄行程が完了すると、皮膚に付着している石鹸水を洗い落とすために温水シャワーリング手段１３のバルブ１３ａが開き、昇降手段５ａ〜５ｆにより洗浄子７ａ〜７ｆを昇降させながら、前記各洗浄子の噴出口２６から人体に向かって温水を一定時間シャワーリングさせ、人体に付着した石鹸水をきれいに洗い落とすことができる。
【００３２】
次に、温風シャワーリング行程について説明する。上述の温水シャワーリング行程が完了すると、皮膚に付着している水分を乾燥させるため温風シャワーリング手段１５のバルブ１５ａが開き、昇降手段５ａ〜５ｆにより洗浄子７ａ〜７ｆを昇降させながら、該洗浄子から人体目掛けて温風を一定時間シャワーリングし、人体に付着した水分をきれいに乾燥することができる。
【００３３】
本発明の他の実施形態について説明すると、人体の首・肩部、胸・胴・臀部及び脚部を縦方向に移動しながら洗浄する洗浄子７ａ〜７ｆは、体形に合わせて伸縮自在にフィットする体形フィット手段１６ａ〜１６ｆを備えている。体形フィット手段１６ａ〜１６ｆとは、洗浄子７ａ〜７ｆの一部又は全部がリニアガイド３ａ、３ｂの軸方向と直交する方向に伸縮し、人体にフィットさせる機能を有した装置をいう。本発明の実施例では、伸縮材として板状スプリングを使用した。
【００３４】
また、人体の首・肩部、胸・胴・臀部及び脚部を縦方向に移動しながら洗浄する洗浄子７ａ〜７ｆが、横方向に揺動或いは振動しながら身体各部を洗浄する洗浄子揺動・振動手段１７ａ〜１７ｆを備えてある。この洗浄子揺動・振動手段１７ａ〜１７ｆは、リニアガイドベアリング４ａ〜４ｆに緊結された洗浄子取付金具６ａ〜６ｆと洗浄子７ａ〜７ｆとの間に配され、リニアガイド３ａ、３ｂと直角方向に揺動或いは振動させることができるようにしてある。
【００３５】
また、人体の首・肩部、胸・胴・臀部及び脚部を縦方向に移動しながら洗浄する各洗浄子７ａ〜７ｆには圧力センサー１２ａ〜１２ｆがそれぞれ設けてあり、前記洗浄子で人体各部を洗浄するとき、前記人体の首・肩部、胸・胴・臀部及び脚部を押し付ける力をそれぞれ個別且つ任意に制御する洗浄子押し付け圧力制御手段１８ａ〜１８ｆを備えてある。該洗浄子押し付け圧力制御手段は、リニアガイドベアリング４ａ〜４ｆに緊結された洗浄子取付金具６ａ〜６ｆと緊結した洗浄子揺動・振動手段１７ａ〜１７ｆと洗浄子７ａ〜７ｆとの間に配され、人体に前記洗浄子７ａ〜７ｆを押し付ける圧力を任意に制御することができるようにしてある。
【００３６】
また、人体洗浄装置１から人体頭部が筐体２の外部にでるように、筐体２内には人体を昇降させる人体昇降手段５ｇ、５ｈを備えてある。この身長の高低差対応方法について説明すると、身長の高低差を調節する前踏み台７ｇは支柱２ａに緊結したリニアガイド３ａ上を走行自在なリニアガイドベアリング４ｇに緊結した踏み台取付金具６ｇに緊結されている（図１０）。
【００３７】
図３において、前記前踏み台７ｇにはボールねじナット１１ｇが緊結され、該ボールねじナットにボールねじ１０ｇが回転自在に挿入され、該ボールねじ１０ｇはモーター９ｇと回転自在に緊結され、該モーター９ｇはモーター取付金具８ｇに緊結され、該モーター取付金具８ｇは支柱２ａに緊結され、該モーター９ｇが正回転・反回転することによって前記ボールねじ１０ｇが正回転・反回転されて該ボールねじナット１１ｇに緊結された踏み台７ｇは昇降する（図３）。
【００３８】
身長の高低差を調節する踏み台は、人体後面にも設けてある。この後踏み台７ｈは支柱２ｂに緊結したリニアガイド３ｂ上を走行自在なリニアガイドベアリング４ｈに緊結した踏み台取付金具６ｈに緊結される。さらに、前記後踏み台７ｈにはボールねじナット１１ｈが緊結され、該ボールねじナットにボールねじ１０ｈが回転自在に挿入され、該ボールねじはモーター９ｈの軸と回転自在に緊結され、該モーターはモーター取付金具８ｈに緊結されている。該モーター取付金具は支柱２ｂに緊結され、該モーターが正回転・反回転することによって前記ボールねじ１０ｈを正回転・反回転させて前記ボールねじナット１１ｈに緊結された該後踏み台７ｈは昇降する（図４）。この時、前後の踏み台７ｇ、７ｈを昇降させるモーター９ｇ、９ｈ同士は同期運転させるので、前記踏み台７ｇ、７ｈは隙間を生じることなく安全に昇降動することができる。
【００３９】
立位の姿勢維持が困難な人体を、立位状態に維持できるように、脇の下又は股下の何れか一方又は両方に人体を支持する人体支持手段１９を前記筐体２内に備えてある（図１１）。人体支持手段１９である略コ字型をした支持具ｉには、支柱２ｂに緊結した前記支持具７ｉに、支柱２ｂに緊結したリニアガイド３ｂ上を走行自在なリニアガイドベアリング４ｉに緊結した前記支持具７ｉを緊結し、ボールねじナット１１にボールねじ１０ｉが回転自在に挿入され、該ボールねじはモーター取付金具８ｉに緊結されている。そして、該モーター取付金具は支柱２ｂに緊結され、モーター９ｉが正回転・反回転すると前記ボールねじナット１１ｉに緊結した該支持具７ｉからなる人体支持手段１９は昇降する（図４）。
【００４０】
立位の姿勢維持が困難な人は、介助者の手助け等により人体洗浄装置１に入ると、介助者が手動操作により支持具昇降手段５ｉを昇降させ、前記支持具昇降手段５ｉに緊結してある前記支持具７ｉにより人体を支持し、人体の立位姿勢を安定維持することができる。
【００４１】
また、人体洗浄装置１内部の人体と対向する位置に、人体を温めるための遠赤外線ヒーター等の人体温熱手段２０ａ〜２０ｄを備えてある。洗浄行程が完了すると、人体の積極的温熱のため人体温熱手段２０ａ〜２０ｄを起動し、人体を温熱することができる。本発明の実施例では、人体温熱手段２０ａ〜２０ｄに遠赤外線ヒーターを使用し、人体の深部まで温熱できるようにした。
【００４２】
また、人体洗浄装置１の筐体２上部から人体頭部が出ている部分に、人体洗浄中の人が音楽や映像を楽しめるようオーディオビジュアル装置２１を備える。本発明の実施例では、オーディオビジュアル装置に７インチ液晶テレビを設け、人体洗浄中の人がテレビを楽しめるようにした。
【産業上の利用可能性】
【００４３】
本発明は、単なる人体の洗浄のみならずリラクゼーション効果や体脂肪燃焼効果が期待でき、一般家庭は言うに及ばず、スパ、スポーツジム、フィットネス倶楽部、ホテル、リゾート施設、病院、老人ホーム、介護施設等々幅広い分野での活用が期待できる。
【図面の簡単な説明】
【００４４】
【図１】本発明の実施の形態を示す立面図である。
【図２】図１のＡ−Ａ断面図である。
【図３】図２のＢ−Ｂ断面図である。
【図４】図２のＣ−Ｃ断面図である。
【図５】図１のＤ−Ｄ断面図である。
【図６】図５に示した洗浄子の拡大説明図である。
【図７】図６のＸ−Ｘ拡大断面図である。
【図８】図１のＥ−Ｅ断面図である。
【図９】図１のＦ−Ｆ断面図である。
【図１０】図１のＧ−Ｇ断面図である。
【図１１】図１のＨ−Ｈ断面図である。
【図１２】本発明の具体的態様を示す配管系統図である。
【符号の説明】
【００４５】
１              人体洗浄装置
２              筐体
２ａ            支柱
２ｂ            支柱
２ｃ            筐体開閉手段
３ａ〜３ｄ      リニアガイド
４ａ〜４ｉ      リニアガイドベアリング
５ａ〜５ｆ      洗浄子昇降手段
５ｇ〜５ｈ      踏み台昇降手段
５ｉ            支持具取付手段
６ａ〜６ｈ      洗浄子取付金具
６ｉ            支持具取付金具
７ａ〜７ｆ      洗浄子
７ｇ〜７ｈ      踏み台
７ｉ            支持具
８ａ〜８ｇ      モーター取付金具
９ａ〜９ｉ      モーター
１０ａ〜１０ｉ  ボールねじ
１１ａ〜１１ｉ  ボールねじナット
１２ａ〜１２ｇ  圧力センサー
１３            温水シャワーリング手段
１３ａ          バルブ
１４            石鹸水シャワーリング手段
１４ａ          バルブ
１５            温水シャワーリング手段
１５ａ        バルブ
１６ａ〜１６ｆ  体形フィット手段
１７ａ〜１７ｆ  洗浄子揺動・振動手段
１８ａ〜１８ｆ  洗浄子押し付け圧力制御手段
１９            人体支持手段
２０ａ〜２０ｄ  人体温熱手段
２１            オーデイオビジュアル装置
２２            制御装置
２３            配管
２５            流路
２６            噴出口  
【図１】
2008155008.tif 000003
【図２】
2008155008.tif 000004
【図３】
2008155008.tif 000005
【図４】
2008155008.tif 000006
【図５】
2008155008.tif 000007
【図６】
2008155008.tif 000008
【図７】
2008155008.tif 000009
【図８】
2008155008.tif 000010
【図９】
2008155008.tif 000011
【図１０】
2008155008.tif 000012
【図１１】
2008155008.tif 000013
【図１２】
2008155008.tif 000014